(57)【要約】      （修正有）【課題】迅速に脱水でき、洗浄時の水中での抵抗力を低下させて、使用寿命を延ばすことができるモップ洗浄用変速装置を提供する。【解決手段】モップ洗浄用変速装置は、棒体１と、変速装置部ハウジング２と、変速装置部３と、を含み、変速装置部３は、棒体１と連結する棒体駆動歯車と、遊星枠と、一組の遊星歯車とを備える。【選択図】図１
0003169518.tif 000002
【実用新案登録請求の範囲】
【請求項１】
モップ洗浄用変速装置であって、
棒体（１）と、変速装置部ハウジング（２）と、変速装置部（３）と、を含み、
前記変速装置部（３）は、前記棒体（１）と連結する棒体駆動歯車（４）と、遊星枠（５）と、一組の遊星歯車（６）とを、備える、
ことを特徴とするモップ洗浄用変速装置。
【請求項２】
前記変速装置部（３）の前記棒体駆動歯車（４）は、前記遊星枠５の中心に位置し、前記遊星歯車（６）は、前記棒体駆動歯車（４）と、前記変速装置部ハウジング（２）内に設置された歯（７）との間に位置し、また、前記棒体駆動歯車（４）及び前記変速装置部ハウジング（２）内に設置された前記歯（７）と互に噛み合って動力を伝達する、
ことを特徴とする請求項１に記載のモップ洗浄用変速装置。
【請求項３】
前記変速装置部（３）の前記一組の遊星歯車（６）は、前記遊星枠（５）の上に分布し、前記遊星枠（５）には内孔が設けられ、前記棒体駆動歯車（４）は該内孔を穿通して前記遊星枠（５）の上に分布する前記一組の遊星歯車（６）と噛み合い、前記遊星枠（５）は、前記変速装置部ハウジング（２）に設置され、前記一組の遊星歯車（６）は、前記変速装置部ハウジング（２）内に設置された前記歯（７）と噛み合い、また、前記棒体駆動歯車（４）を介して前記棒体（１）と連結する、
ことを特徴とする請求項１又は２に記載のモップ洗浄用変速装置。
【請求項４】
前記変速装置部ハウジング（２）の中心には孔が設けられ、前記変速装置部（３）内の前記棒体駆動歯車（４）は、該孔を穿通し、また、前記棒体（１）内の連結具（８）を介して前記棒体（１）と連結し、前記連結具（８）の内部には、前記棒体駆動歯車（４）の挿入連結のために溝が設置される、
ことを特徴とする請求項１に記載のモップ洗浄用変速装置。
【請求項５】
前記変速装置部（３）の内部には、単一方向の鋸歯状部材（９）が設けられ、前記単一方向の鋸歯状部材（９）の中心には、孔が設置され、前記棒体駆動歯車（４）は、該孔を穿通して連結し、前記単一方向の鋸歯状部材（９）は、前記遊星枠（５）と前記棒体駆動歯車（４）との間に位置し、前記単一方向の鋸歯状部材（９）の歯面は、前記棒体駆動歯車（４）内のはす歯と噛み合い、前記単一方向の鋸歯状部材（９）は、前記遊星枠（５）内に位置し、上下に摺動して前記棒体駆動歯車（４）との噛合及び離脱を制御する、
ことを特徴とする請求項１に記載のモップ洗浄用変速装置。
【考案の詳細な説明】
【技術分野】
【０００１】
本考案は、モップ構造に関し、特に、モップ洗浄用変速装置に関する。
【背景技術】
【０００２】
現在よく使用される回転式モップは、床の洗浄効果を向上するために、洗浄部に回転ディスクが取り付けられ、且つ回転式モップが脱水装置により水切り或いは水の中で回転洗浄できる。従来の技術において、回転式モップの脱水装置により水切り或いは水の中で回転洗浄する時、脱水装置の回転を通じて回転式モップの回転ディスクを駆動させるが、一対一の比率の回転であるため、回転式モップが水の中で回転洗浄する時に高い抵抗力となって動作するため、商品使用の寿命が大幅に短縮し、また使用時の体力を消費し、騒音が増えてしまう。
【考案の概要】
【考案が解決しようとする課題】
【０００３】
よく使用される回転式モップの洗浄不足と脱水不足を克服するため、本考案ではモップ洗浄用変速装置を提供し、該モップ洗浄用変速装置は、回転式モップを脱水装置で絞る時、本来の高速回転効果を奏させることができるだけではなく、回転式モップが水の中で回転洗浄している時にそれを変速して動作させることもできるため、洗浄時の抵抗力が大きく、商品の使用時の体力を消費し、騒音の増加や商品の使用寿命の大幅な短縮という欠陥を克服することができる。
【課題を解決するための手段】
【０００４】
そこで、従来技術の問題点を解決するために、本考案の実施例によるモップ洗浄用変速装置は、棒体と、変速装置部ハウジングと、変速装置部と、を含む。変速装置部は、棒体と連結する棒体駆動歯車と、遊星枠と、一組の遊星歯車と、を備える。
【０００５】
変速装置部の棒体駆動歯車は、遊星枠の中心に位置し、一組の遊星歯車は、棒体駆動歯車と、変速装置部ハウジング内に設置された歯との間に位置し、また棒体駆動歯車及び変速装置部ハウジング内に設置された歯と相互に噛み合って動力を伝達することができる。
【０００６】
変速装置部の一組の遊星歯車は、遊星枠の上に分布し、遊星枠には、内孔が設けられ、棒体駆動歯車は、該内孔を穿通して遊星枠の上に分布する遊星歯車と噛み合う。遊星枠は、変速装置部ハウジングに設置され、これにより、遊星歯車は、変速装置部ハウジング内に設置された歯と噛み合い、また棒体駆動歯車を介して棒体と連結する。
【０００７】
変速装置部ハウジングの中心には孔が設けられ、変速装置部内の棒体駆動歯車は、該孔を穿通し、また棒体内の連結具を介して棒体と連結する。連結具の内部には棒体駆動歯車の挿入連結のために溝が設置される。
【０００８】
変速装置部の内部には単一方向の鋸歯状部材が設けられ、鋸歯状部材の中心には孔が設置され、棒体駆動歯車は該孔を穿通して連結し、単一方向の鋸歯状部材は遊星枠と棒体駆動歯車との間に位置する。単一方向の鋸歯状部材の歯面は、棒体駆動歯車内のはす歯と噛み合うことができる。単一方向の鋸歯状部材は、遊星枠内に位置し、上下に摺動して棒体駆動歯車との噛合及び離脱を制御することができる。
【考案の効果】
【０００９】
本考案の有益な効果は、モップ洗浄用変速装置内に遊星系スタイルの変速装置部が設けられており、モップ洗浄用変速装置を備えた回転式モップを便利に且つ迅速に脱水できると共に水の中で洗浄する時の抵抗力を低下させ、且つ商品の使用寿命を延ばすことができる。
【図面の簡単な説明】
【００１０】
【図１】本考案の分解図である。
【図２】本考案の一部の棒体を除いて連結具を保留した分解図である。
【図３】本考案の変速装置の一部構造を示す斜視断面図である。
【考案を実施するための形態】
【００１１】
以下に添付図面と実施例を組み合わせて本考案を更に説明する。
【００１２】
図１乃至図３を参照しながら説明する。本考案の実施例によるモップ洗浄用変速装置は、棒体１と、変速装置部ハウジング２と、変速装置部３と、を含む。変速装置部３は、棒体１と連結する棒体駆動歯車４と、遊星枠５と、一組の遊星歯車６と、を備える。
【００１３】
変速装置部３の棒体駆動歯車４は、遊星枠５の中心に位置し、一組の遊星歯車６は、棒体駆動歯車４と、変速装置部ハウジング２内に設置された歯７との間に位置し、また両者（即ち、棒体駆動歯車４及び変速装置部ハウジング２内に設置された歯７）と互に噛み合って動力を伝達することができる。
【００１４】
変速装置部３の一組の遊星歯車６は、遊星枠５の上に分布し、遊星枠５には、内孔が設けられ、棒体駆動歯車４は、該内孔から穿通して遊星枠５の上に分布する一組の遊星歯車６と噛み合う。遊星枠５は、変速装置部ハウジング２に設置され、これにより、一組の遊星歯車６は、変速装置部ハウジング２内に設置された歯７と噛み合い、また棒体駆動歯車４を介して棒体１と連結する。
【００１５】
変速装置部ハウジング２の中心には、孔が設けられ、変速装置部３内の棒体駆動歯車４は、該孔を穿通し、また棒体１内の連結具８を介して棒体１と連結する。連結具８の内部には、棒体駆動歯車４の挿入連結のために溝が設置される。
【００１６】
変速装置部３の内部には、単一方向の鋸歯状部材９が設けられ、単一方向の鋸歯状部材９の中心には、孔が設置され、棒体駆動歯車４は、該孔を穿通して連結し、単一方向の鋸歯状部材９は、遊星枠５と棒体駆動歯車４との間に位置する。単一方向の鋸歯状部材９の歯面は、棒体駆動歯車４内のはす歯と噛み合うことができる。単一方向の鋸歯状部材９は、遊星枠５内に位置し、上下に摺動して棒体駆動歯車４との噛合及び離脱を制御することができる。
【符号の説明】
【００１７】
１  棒体
２  変速装置部ハウジング
３  変速装置部
４  棒体駆動歯車
５  遊星枠
６  遊星歯車
７  歯
８  連結具
９  単一方向の鋸歯状部材
【図１】
0003169518.tif 000003
【図２】
0003169518.tif 000004
【図３】
0003169518.tif 000005